(57)【要約】【課題】  ３Ｄ空間上に、既存の２Ｄ図面とその３Ｄモデル（既存データ）を活用して、擬似３Ｄ図面を作成することを目的とする。【解決手段】  ３Ｄモデルと２Ｄ図面の投影形状を３Ｄ空間上に配置し、３Ｄモデルの要素と、２Ｄ図面の投影形状の相当要素とを、結ぶ線を表示する。【選択図】        図１
2006107335.tif 000002
【特許請求の範囲】
【請求項１】
３Ｄモデルと、該３Ｄモデルに対応する２Ｄ図面上の、投影形状と寸法等を、３Ｄ空間上の任意の位置に配置する配置手段を有することを特徴とする情報処理装置。
【請求項２】
前記３Ｄモデルと、前記３Ｄモデルに対応する２Ｄ図面上の、投影形状や寸法等を、正対して配置する配置手段を有することを特徴とする請求項１に記載の情報処理装置。
【請求項３】
前記投影形状あるいは、前記寸法等から、前記３Ｄモデルに位置指示線が引かれ、配置される配置手段を有することを特徴とする請求項１に記載の情報処理装置。
【請求項４】
３Ｄモデルと、該３Ｄモデルに対応する２Ｄ図面上の、投影形状と寸法等を、３Ｄ空間上の任意の位置に配置する配置工程を有することを特徴とする情報処理方法。
【請求項５】
前記３Ｄモデルと、前記３Ｄモデルに対応する２Ｄ図面上の、投影形状や寸法等を、正対して配置する配置工程を有することを特徴とする請求項４に記載の情報処理方法。
【請求項６】
前記投影形状あるいは、前記寸法等から、前記３Ｄモデルに位置指示線が引かれ、配置される配置工程を有することを特徴とする請求項４に記載の情報処理方法。
【発明の詳細な説明】
【技術分野】
【０００１】
本発明は、２Ｄ−ＣＡＤと３Ｄ−ＣＡＤに係る情報処理装置及び情報処理方法に関するものである。特に、３Ｄ空間上での設計情報の表記に関する。
【背景技術】
【０００２】
従来は、２Ｄ図面のみか、３Ｄモデルとそのモデルを元に、対応する２Ｄ図面の両方を作成、もしくは、３Ｄモデルに寸法等を直接関連付けて表示するような３Ｄ図面によって、モデル形状と属性情報の情報伝達を行ってきた（例えば、特許文献１参照。）。
【０００３】
ここで言う属性情報とは、
距離（長さ、幅、厚さ等）、角度、穴径、半径、面取り等の寸法、および、該寸法に付随する寸法公差、
面、稜線等に寸法の入力なしで付加される幾何公差および寸法公差、
部品、ユニット、製品を加工、製作するにあたり伝えるべき、指示すべき情報である注記、表面粗さ等のあらかじめ約束事として決められている記号、
などである。
【０００４】
３Ｄ図面は、２Ｄ図面を使用して、第三者に情報を伝達するときに発生しがちな、形状の把握に時間をとられることも無く、ＣＡＤの画面上で３Ｄモデルと寸法等を同時に表示されるので、形状の把握が容易にできることから、非常に活用できる情報伝達手段の一つである。
【特許文献１】特開２００２−３２４０８６号公報
【発明の開示】
【発明が解決しようとする課題】
【０００５】
２Ｄ図面を見て、頭の中で形状を組み立てるということや、既存の図面のように、３Ｄモデルと、それを元に作成した２Ｄ図面を交互に見て、形状や寸法等の属性情報を把握するというような時間や手間をかける必要が無い特許文献１のような３Ｄ図面は、既存の資産（３Ｄモデルと２Ｄ図面）のことは一切考えていない。そのために、実際に３Ｄ図面を作成するとなると、既存の２Ｄ図面を、参考にしながら、一から新たな３Ｄ図面を作成しなおさなければならず、多くの時間や、手間をかけてしまう。その場合、既存の資産（３Ｄモデルと２Ｄ図面）を不要な物にしてしまう。
【０００６】
そこで本発明では、既存の３Ｄモデルと、そのモデルを元に作成した２Ｄ図面を活用することにより、今ある資産（３Ｄモデルと２Ｄ図面）を有効かつ効率的に扱え、その両方を同じ３Ｄ空間上に配置することで、新たに３Ｄ図面を作成しなおす手間や、３Ｄモデルと２Ｄ図面を交互に見て形状を把握するという時間を省略することが可能な情報処理装置及び情報処理方法を提供することを目的とする。
【課題を解決するための手段】
【０００７】
本発明の情報処理装置は、
３Ｄモデルと、該３Ｄモデルに対応する２Ｄ図面上の、投影形状と寸法等を、３Ｄ空間上の任意の位置に配置する配置手段を有することにより、３Ｄモデルと寸法等の属性情報を同時に把握できることから上記目的を達成しうるものである。
【０００８】
また、本発明の情報処理装置は、
前記３Ｄモデルと、前記３Ｄモデルに対応する２Ｄ図面上の、投影形状や寸法等を、正対して配置する配置手段を有することで、２Ｄ図面の投影形状と、３Ｄモデルの対応関係をユーザが、把握しやすくなるということで上記目的を達成しうるものである。
【０００９】
また、本発明の情報処理装置は、
前記投影形状あるいは、前記寸法等から、前記３Ｄモデルに位置指示線が引かれ、配置される配置手段を有することで、３Ｄモデルにおける形状の把握がしやすくなるということで上記目的を達成しうるものである。
【００１０】
本発明の情報処理方法は、
３Ｄモデルと、該３Ｄモデルに対応する２Ｄ図面上の、投影形状と寸法等を、３Ｄ空間上の任意の位置に配置する配置工程を有することにより、３Ｄモデルと寸法等の属性情報を同時に把握できることから上記目的を達成しうるものである。
【００１１】
また、本発明の情報処理方法は、
前記３Ｄモデルと、前記３Ｄモデルに対応する２Ｄ図面上の、投影形状や寸法等を、正対して配置する配置工程を有することで、２Ｄ図面の投影形状と、３Ｄモデルの対応関係をユーザが、把握しやすくなるということで上記目的を達成しうるものである。
【００１２】
また、本発明の情報処理方法は、
前記投影形状あるいは、前記寸法等から、前記３Ｄモデルに位置指示線が引かれ、配置される配置工程を有することで、３Ｄモデルにおける形状の把握がしやすくなるということで上記目的を達成しうるものである。
【００１３】
なお、さらに説明すれば、本発明の第一の発明について下記のように示す。
【００１４】
（１）３Ｄモデルと、該３Ｄモデルに対応する２Ｄ図面上の、投影形状と寸法等を、３Ｄ空間上の任意の位置に配置する配置手段を有することを特徴とする情報処理装置。
【発明の効果】
【００１５】
本発明によれば、既存の資産（３Ｄモデルと２Ｄ図面）から、３Ｄ図面を作り出すことや、３Ｄモデルとそれを元に作成した２Ｄ図面を交互に見るという手間や時間をかける必要が無くなる。
【発明を実施するための最良の形態】
【００１６】
以下本発明を実施するための最良の形態を、実施例により詳しく説明する。
【実施例１】
【００１７】
本発明の一実施形態について説明する。
【００１８】
図１は、既存の２Ｄ図面の投影形状と寸法等を３Ｄ空間上の任意の位置に配置する、全体の流れを表したものである。
【００１９】
なお、２Ｄ図面と言ったときは、作成済みの既存の２Ｄ図面のことを、これ以降は意味することとする。また、図（フローチャート）に記載している名称に付くＳとは、ステップを意味する。
【００２０】
まず始めに、３Ｄモデルを３Ｄ空間上に配置する（ステップ１００）。３Ｄモデルと、３Ｄモデルを元にして作成した２Ｄ図面の両方が、まとめて保存されているファイルの中から、３Ｄ空間上に配置する所望の２Ｄ図面を選択する（ステップ１０１）。次に選択した２Ｄ図面の中から、全ての投影図を選択する（ステップ１０２）。投影図とは、図４−１の右図のような、各方向から見たときの図のことをいう。ここで、投影図を選択すると、３Ｄ空間上に転送可能となるのは、２Ｄ図面の投影図の投影形状と寸法等である。選択した投影図の投影形状と寸法等を３Ｄ空間上に配置する際の、基準となる投影形状の要素を選択する（ステップ１０３）。次に、２Ｄ図面の投影図の投影形状と寸法等を３Ｄ空間上に転送する（ステップ１０４）。ステップ１０３で選択した２Ｄ図面の要素に対応する３Ｄモデルの要素を選択する（ステップ１０５）。３Ｄモデルに対する、２Ｄの投影形状と寸法等の向きや、回転方向の位置を選択する（ステップ１０６）。３Ｄモデルに対して、２Ｄの投影形状と寸法等の配置位置を選択する（ステップ１０７）。
【００２１】
なお、上記手順の逆で、２Ｄの投影図の投影形状と寸法等を先に３Ｄ空間上に配置し、次に相当する３Ｄモデルを配置するという手順も可能である。
【００２２】
また、１０２のステップで、全ての投影図を選択して、それ以降のステップを踏んでいっても良いが、所望の投影図を選択して、１０２から１０７のステップを繰り返しても良い。
【００２３】
ここで、正対配置についての説明を行う。
【００２４】
図９は、正対配置を表したものと、そうでないものを表したものである。
【００２５】
正対配置させると、Ａ−１図に表示される視線方向（矢印）から見たＡ−２図のように２Ｄ図面の投影形状の投影図と、３Ｄモデルの外形線が重なって、一致して表示される。また、正対配置した時の画面表示の状態を表したものがＡ−１である。以上のように、投影形状が配置される面の法線方向から、投影形状と３Ｄモデルを見たときに、投影形状の外形線と、３Ｄモデルの外形線が一致して見える。これが正対配置させた時の画面表示の状態である。本発明で正対配置と言うときは、Ａ−１（Ａ−２）の状態を示す。
【００２６】
次に、Ｂ−１を視線方向から見ると、Ｂ−２のように見える。投影形状の外形線と３Ｄモデルの外形線が、重なって表示されていない。本発明では、この画面状態を正対配置でない画面状態という。
【００２７】
図２は、選択した投影形状を、３Ｄモデルの相当する要素に正対配置させるときの、一連の流れを表したフローチャートである。
【００２８】
正対配置は、３Ｄ空間上で、３Ｄモデルの外形線と、２Ｄ図面の投影図の投影形状の外形線が、投影形状を配置する面の法線方向から見た時に、一致して表示されることを言う。
【００２９】
まず始めに、３Ｄ空間上に３Ｄモデルを配置する（ステップ２００）。次に相当する２Ｄ図面を選択する（ステップ２０１）。３Ｄ空間上に配置したい投影図を選択する（ステップ２０２）。ここで、投影図を選択すると、３Ｄ空間上に転送可能となるのは、その投影図の投影形状及び、寸法等である。次に投影形状で転送時及び、３Ｄ空間上での配置の基準とする２つ以上の要素を選択する（ステップ２０３）。２Ｄ図面の投影図の投影形状と寸法等を３Ｄ空間上に転送する（ステップ２０４）。ステップ２０３で選択した要素に相当する３Ｄモデルの要素を選択する（ステップ２０５）。２Ｄ図面の投影図の投影形状と寸法等を３Ｄモデルからオフセットする（距離をあける）位置を選択する（ステップ２０６）。
【００３０】
ステップ２０６では、オフセット距離を入力しても良い。
【００３１】
図３は、３Ｄ空間上に３Ｄモデルと２Ｄ図面の投影図の投影形状と寸法等を配置した後、２Ｄの投影図の投影形状の寸法引き出し位置から、３Ｄモデルのユーザの所望する位置に位置指示線が引かれるという一連の流れを示すフローチャートである。
【００３２】
３Ｄモデルと２Ｄ図面の投影図の投影形状と寸法等を３Ｄ空間上に配置する（ステップ３００）。投影形状についている所望する寸法を選択する（ステップ３０１）。次に、ステップ３０１で選択した寸法の引き出し位置に相当する３Ｄモデルの位置を寸法の始点、終点共にそれぞれ選択する（ステップ３０２）。２Ｄ図面の投影図の投影形状の寸法引き出しの始点及び終点から、３Ｄモデルの選択した位置に、位置指示線が引かれ、表示される（ステップ３０３）。
【００３３】
次に、画面の表示状態に基づき説明する。
【００３４】
図４−１〜図４−７は、３Ｄモデルと２Ｄ図面の投影図の投影形状と寸法等を画面上に配置する時の図である。活用する図面は図４−１のように、３Ｄモデルとその３Ｄモデルの２Ｄ図面から成り立っている（ただし、２Ｄ図面しかない場合でも、その２Ｄ図面を元に３Ｄモデルを作成し、下記に記載したのと同様のやり方で、第三者に情報の伝達を行うことが可能となる）。
【００３５】
まず、転送コマンドを選択し、３Ｄ空間上に転送する投影図を選択する。図４−２のように、投影図を選択すると、選択された投影図はハイライト表示され（外形線の色が変わる）、表示後、転送する投影図に間違いが無いかの確認を（ＹＥＳ／ＮＯで）行う。ここで、実際に転送されるのは、選択した投影図の投影形状と寸法等である。
【００３６】
次に転送する投影形状の中から、投影形状と寸法等を３Ｄ空間上に配置する時に、方向や位置の基準とする要素（外形線、中心線等）を選択する。図４−３は、その要素を選択する時の図である。選択後、要素はハイライト表示される。図４−４は、３Ｄ空間上に転送し、投影形状と寸法等を配置する際に、先に、投影形状で選択した要素と一致する３Ｄモデルの要素を選択している時の図である（今回は、３Ｄ空間上に投影形状を配置する基準を３Ｄモデルの要素とした）。基準とする３Ｄモデルの要素を選択すると、選択された要素はハイライト表示される。
【００３７】
次に、先に選択した投影形状と寸法等の上方向を選択する（図４−５）。ここでは、３Ｄモデルの要素等を利用して、方向を設定することも可能である。
【００３８】
次は、先に選択した３Ｄモデルの要素に対して、基準とする投影形状と寸法等の要素の回転方向を設定する画面表示である（図４−６）。
【００３９】
最後に、投影形状の法線方向を設定し（設定に際し、所望の面の法線方向と同様という選択をしても良いし、３Ｄモデルの稜線方向と同様という決め方をしても良い）、配置位置を設定する。ここでは、モデルの面を基準にして距離をとった位置に置くことも可能である。また、所望の位置をクリックすることにより配置することも可能である。図では、モデルの面を基準に距離をとって、配置している（図４−７）。
【００４０】
順序はこれに限ったものではなく、法線方向を先に決めて、後から上方向等を決めても良い。
【００４１】
図５−１〜図５−５は、３Ｄ空間上の３Ｄモデルに、２Ｄ図面の投影形状と寸法等を、３Ｄモデルの（投影形状の表す）面に正対して配置する時の図である。
【００４２】
活用する図面は図５−１のように、３Ｄモデルとその３Ｄモデルを元に作成した２Ｄ図面から成り立っている（ただし、２Ｄ図面しかない場合でも、その２Ｄ図面を元に３Ｄモデルを作成し、下記に記載するものと同様のやり方で、第三者に情報の伝達を行うことが可能となる）。
【００４３】
まず、転送コマンドを選択し、転送する投影図を選択する。投影図を選択すると、選択された投影図はハイライト表示され、転送する投影図に間違いは無いかの確認を（ＹＥＳ／ＮＯで）行う（図５−２）。ここで、実際に３Ｄ空間上に転送されるのは、選択した投影図の投影形状と寸法等である。投影形状と寸法等を３Ｄ空間上に転送するにあたり、３Ｄモデルに正対して配置するときは、配置に必要な、法線方向とＸ方向の基準とＹ方向の基準を決めなくてはいけない。ここでは、投影形状と寸法等の基準とする要素を、２つ以上選択してＸ方向、Ｙ方向を決定している（図５−３）。選択された投影形状の要素は、ハイライト表示される。
【００４４】
次に、先に選択した投影形状の要素に相当する３Ｄモデルの要素を選択する（図５−４）。選択された３Ｄモデルの要素は、ハイライト表示される。ここで、選択した３Ｄモデルの要素は（１）と（２）で、先に選択した投影形状の要素と一致して配置される。
【００４５】
次に、投影形状は相当する３Ｄモデルの要素に正対配置しているので、３Ｄモデルに対してオフセット距離を設定し、位置を確定している（図５−５）。図５−５は、３Ｄモデルの面を基準に距離を入力することで、位置を確定している時の画面表示の様子である。
【００４６】
位置確定の別の手段として、正対配置後、画面のＺ方向に転送した投影形状を、スライドすることができるので、任意の位置を選択して、位置を確定することも可能である。
【００４７】
他に、正対して配置する方法は、
図４−５からの設定で、３Ｄモデルの要素に一致するように、方向や位置を設定することで、３Ｄモデルに対し、２Ｄ図面の投影図の投影形状と寸法等を正対して配置することが可能である。
【００４８】
図１５は、２Ｄ図面の投影図（断面図）の投影形状を配置し、表示した時の画面表示の様子である。断面図に関しては、２Ｄ図面の投影図の投影形状に相当する位置（１５−１の切断位置）で、３Ｄモデルが切断され、視線方向から見て、手前側が消えて（１５−２の非表示部分）、切断面上もしくは、切断面に対して、非表示になったモデルの方向へオフセットした位置（１５−３）に、２Ｄ図面の投影図の投影形状を配置することになる。配置に関しての手順は、上記に記載した方法と同様である。断面図の表示を行うと、モデルが切断位置で切断されて、視線方向手前側が非表示になり、その位置に投影形状が配置され、視線方向から見ると１５−４のように表示される。投影形状の斜線部分は、肉厚部を示す。
【００４９】
次に詳細図に関しての説明を行う（図１６−１〜図１６−７）。
【００５０】
一般的に詳細図は通常の投影図と違う尺度で表示されている（図１６−１の丸の中）。今図１６−２のような３Ｄモデルと、図１６−３のような、その３Ｄモデルの投影形状の詳細図がある。この時、２Ｄ図面の詳細図（図１６−３）の尺度にかかわらず、相当する３Ｄモデルの要素を選択すれば、図１６−４（もしくは図１６−６）のように画面上に表示している３Ｄモデルと同じ大きさで画面上に配置される。
【００５１】
また、詳細図の表示を行うと、図１６−５（もしくは図１６−７）のように、３Ｄモデルの詳細図の対象箇所と、２Ｄ図面の投影図（この場合は詳細図）の投影形状が、尺度に関係なく画面に（見やすいように）拡大表示される。詳細図を表示したとき、モデル自体は大きくなるが、寸法等のラベル（文字）の大きさは、詳細図以外の投影図を表示した時の大きさ（等倍）と同じになる。方向や配置等の設定は、上記に記載の方法と同様である。このことは、詳細図に限ったことではなく、尺度が等倍でない時に、投影形状を配置させると、尺度に関係なく、その投影図に相当する形状は、全て画面表示しているモデルと同じ大きさで表示される。
【００５２】
図６−１〜図６−３は、３Ｄ空間上に、３Ｄモデルと対応する２Ｄ図面の投影図の投影形状と寸法等を配置した後、投影形状の寸法の引き出し位置から３Ｄモデルに対して、位置指示線が引かれ、表示される様子を表したものである。
【００５３】
図６−１は、上記に記載の通り、３Ｄ空間上に３Ｄモデルと相当する２Ｄ図面の投影図の投影形状を配置したときの図である。ここで、位置指示線を作成させる投影形状の寸法を選択する。選択された要素はハイライト表示される（図６−２）。寸法を選択すると、寸法線の始点と終点から、直線（位置指示線）が表示される。そして、位置指示線の参照要素（位置指示線の終点）をそれぞれ選択することで、位置指示線を固定して表示することが可能となる。位置指示線の参照要素（位置指示線の終点）を選択すると、選択された３Ｄモデルの要素は、ハイライト表示される（図６−３）。
【００５４】
なお、この直線は、Ｚ方向に対して所望の位置を決めるまでは伸縮可能である。また、一度引き出し元と、引き出し先を決めた後で、投影形状の位置を移動させると、その直線は追従する。
【００５５】
３Ｄモデルと相当する２Ｄ図面の投影図の投影形状と寸法等が正対して配置された時は、位置指示線は、投影形状から３Ｄモデルを見た時の、視線方向のみに伸縮する。
【００５６】
また、位置指示線において、位置指示線同士が直行して交じあうときは、どちらか片方の位置指示線が曲線を描き、もう片方の位置指示線と直行しないような交わり方をしても良い。
【００５７】
投影形状と３Ｄモデルが正対していない時の画面表示の状態を図１０に示す。１０−１が、斜めの状態から見た図で、１０−２が、視線方向からモデルを見た時の表示状態である。投影形状と３Ｄモデルが、正対して配置されなくても、位置指示線の引き出し元となる寸法と位置指示線を引く参照位置を指定すれば、図１０で示すように、位置指示線を引くことが可能である。
【００５８】
これができることで、２Ｄ図面の投影図の投影形状を、３Ｄ空間上の所望の位置に配置しても、３Ｄモデルの形状を把握することが可能である。また、製造工程や寸法の数が多いというような時、一方向の２Ｄ図面の投影図が２つ以上存在する場合でも、視認性を向上させるために、ずらして互いに干渉しないように配置しても、形状の寸法を容易に把握することが可能である。
【００５９】
対称形状の中心線に寸法が入っている状態の画面表示の様子を図１１に示す。
【００６０】
このとき、位置指示線は、寸法の入っている中心線と投影形状の外形線の交点から、３Ｄモデルに対して引かれる。また、位置指示線を関連付けた投影形状の中心線、寸法、位置指示線のいずれかを選択すると、関係する中心線、寸法、位置指示線がハイライトで表示される。このハイライト表示は、図１１のような、中心線に寸法が指示されている状態の時だけでなく、位置指示線が作成され、寸法もしくは位置指示線を選択すると、その位置指示線が結び付けている寸法と位置指示線はハイライト表示される。
【００６１】
位置指示線は、２Ｄ図面の投影図の投影形状の寸法引き出し位置から、ユーザが、所望する位置（要素）まで、引くことができる。
【００６２】
図１２は、位置指示線が、自動的に作成される時の画面状態を表したものである。
【００６３】
３Ｄ空間上に３Ｄモデルと、その２Ｄ図面の投影図の投影形状を正対して配置した後、自動的に、投影形状の寸法の引き出し位置から、３Ｄモデルに対して、位置指示線が引かれる。このとき、位置指示線は、各投影形状の視線方向から見た時の、要素（頂点）まで引かれる。また、頂点が存在しない場合には、最外形の面まで引かれる。１２−１が、画面の表示状態で、１２−２が、位置指示線が、３Ｄモデルの最外形の位置まで自動的に引かれた様子を表したものである。
【００６４】
図１３は、各形状において、自動で位置指示線が引かれた時の画面表示の状態を表したものである。図１３は、穴形状に対して位置指示線を引いた時の状態を表したものである。位置指示線は、３Ｄモデルの最外形の位置まで、引かれている。
【００６５】
次に、注記や幾何公差などのテキストに対する位置指示線について説明する。
【００６６】
図１４が注記に対して位置指示線を引いた状態を表す図である。注記の矢印と投影形状の外形線の交点から、モデルに対して位置指示線が引かれる。
【００６７】
次に、製品の設計を行い、個々の部品の設計図面の作成について説明する。部品の設計図面は、２Ｄ−ＣＡＤ装置または３Ｄ−ＣＡＤ装置により作成される。
【００６８】
ここで、図７に示す情報処理装置、例えばＣＡＤ装置を用いて、部品の設計について説明する。
【００６９】
図７は、ＣＡＤ装置のブロック図である。図において、７０１は内部記憶装置、７０２は外部記憶装置であり、ＣＡＤデータやＣＡＤプログラムを保管するＲＡＭ等の半導体記憶装置、磁気記憶装置等からなる。
【００７０】
７０３はＣＰＵ装置であり、ＣＡＤプログラムの命令に沿って処理を実行する。
【００７１】
７０４は表示装置であり、ＣＰＵ装置７０３の命令に沿って形状などを表示する。
【００７２】
７０５はＣＡＤプログラムに対して指示等を与えるマウス、キーボードなどの入力装置である。
【００７３】
７０６はＣＰＵ装置７０３の命令に沿って紙図面などを出力するプリンタなどの出力装置である。
【００７４】
７０７は外部接続装置であり、本ＣＡＤ装置と外部の装置とを接続し、本装置からのデータを外部装置へ供給したり、外部の装置から本装置を制御したりする。
【００７５】
図８は、図７に示したＣＡＤ装置を使った２Ｄ図面の投影形状を３Ｄ空間上に配置する動作を示すフローチャートである。
【００７６】
まず、オペレータが入力装置７０５により、ＣＡＤプログラムの起動を指示すると、外部記憶装置７０２に格納されているＣＡＤプログラムが内部記憶装置７０１に読み込まれ、ＣＡＤプログラムがＣＰＵ装置７０３上で実行される（ステップ８０１）。
【００７７】
オペレータが入力装置７０５により対話的に指示することにより、内部記憶装置７０１上に３Ｄモデル及びそのモデルの２Ｄ図面を生成し、表示装置７０４上に画像として表示する（ステップ８０２）。なお、オペレータが入力装置７０５によりファイル名などを指定することにより、既に外部記憶装置７０２上に作成されている３Ｄモデル及び２Ｄ図面をＣＡＤプログラム上で取り扱えるように、内部記憶装置７０１に読み込むこともできる。
【００７８】
オペレータが入力装置７０５により、２Ｄ図面の投影図の投影形状と寸法等を３Ｄ空間上へ転送するための前設定を行う（ステップ８０３）。
【００７９】
この設定は、２Ｄ図面の投影図の投影形状と寸法等を３Ｄ空間上に配置する時の方向や回転方向を決めるもので、決定後、その設定情報が２Ｄ図面の投影図の投影形状と寸法等に関連付けられて、内部記憶装置７０１に保管される。
【００８０】
また、必要に応じて、転送する２Ｄ図面の投影図の投影形状と寸法等に、名称を付けることが望ましい。
【００８１】
次に２Ｄ図面の投影図の投影形状と寸法等を、３Ｄ空間上に転送する（ステップ８０４）。
【００８２】
オペレータが入力装置７０５により、３Ｄモデルに相当する２Ｄ図面の投影図の投影形状と寸法等を３Ｄ空間上に配置する（ステップ８０５）。次に位置指示線を設定する（ステップ８０６）。
【００８３】
３Ｄモデルと転送された２Ｄ図面の投影図の投影形状と寸法等は、表示装置７０４に表示することができる。又、位置指示線は、２Ｄ図面の投影図の投影形状と寸法等に関連付けられて内部記憶装置７０１に保管される（ステップ８０７）。
【００８４】
また、オペレータが入力装置７０５により、２Ｄ図面の投影図の投影形状と寸法等の３Ｄモデルに対する配置の設定・解除をすることができる。
【００８５】
次に、オペレータは入力装置７０５により、２Ｄ図面の投影図の投影形状と寸法等に記載の寸法を指定することによって、寸法線の根元から位置指示線を表示させ、対象となる３Ｄモデルの要素を選択することで、位置指示線の引き出し先（参照位置）を決定し、表示装置７０４上に、画像として表示することができる（ステップ８０８）。
【００８６】
また、オペレータが入力装置７０５により、２Ｄ図面の投影図の投影形状と寸法等を転送する際に、２Ｄ図面の投影図の投影形状と寸法等の尺度を設定することができる。この２Ｄ図面の投影図の投影形状と寸法等の表示情報を設定し、３Ｄモデルを指定することで、設定された尺度で、２Ｄ図面の投影図の投影形状と寸法等を３Ｄ空間上に表示することができる。またこの位置指示線は２Ｄ図面の投影図の投影形状と寸法等に関連付けられているので、指定された２Ｄ図面の投影図の投影形状と寸法等に関連付けられている位置指示線を選択的に表示することができる。位置指示線表示情報は内部記憶装置７０１に保管される。
【００８７】
寸法の大きさと尺度に関して、詳細部分を含む投影図全体を表示している時は、詳細図上に作成されたラベルの大きさは、小さく表示される。詳細図を表示した場合に、モデルはその尺度に反比例して、大きくなるが、寸法等のラベルの大きさは、尺度の数値にかかわらず、等倍で表示される。
【００８８】
オペレータの指示により、３Ｄモデル、２Ｄ図面の投影図の投影形状と寸法等を外部記憶装置７０２などに保存することができる（ステップ８０９）。
【００８９】
外部記憶装置７０２上の３Ｄモデル、２Ｄ図面の投影図の投影形状と寸法等と位置指示線に、情報を追加したものを内部記憶装置７０１に読み込んで、画面表示を更新することができる。
【図面の簡単な説明】
【００９０】
【図１】３Ｄモデルと２Ｄ図面の投影形状と寸法等を３Ｄ空間上に、配置する時の一連の流れを示すフローチャートである。
【図２】３Ｄ空間上で、２Ｄ図面の投影形状と寸法等を、相当する３Ｄモデルに正対して配置させるときの一連の流れを示すフローチャートである。
【図３】２Ｄ図面の投影図の投影形状と寸法等の寸法引き出し位置から、３Ｄモデルに位置指示線を引く、一連の流れを示したフローチャートである。
【図４−１】３Ｄ空間上で２Ｄ図面の投影図の投影形状と寸法等を、３Ｄモデルと一緒に表示するまでの図である。
【図４−２】３Ｄ空間上で２Ｄ図面の投影図の投影形状と寸法等を、３Ｄモデルと一緒に表示するまでの図である。
【図４−３】３Ｄ空間上で２Ｄ図面の投影図の投影形状と寸法等を、３Ｄモデルと一緒に表示するまでの図である。
【図４−４】３Ｄ空間上で２Ｄ図面の投影図の投影形状と寸法等を、３Ｄモデルと一緒に表示するまでの図である。
【図４−５】３Ｄ空間上で２Ｄ図面の投影図の投影形状と寸法等を、３Ｄモデルと一緒に表示するまでの図である。
【図４−６】３Ｄ空間上で２Ｄ図面の投影図の投影形状と寸法等を、３Ｄモデルと一緒に表示するまでの図である。
【図４−７】３Ｄ空間上で２Ｄ図面の投影図の投影形状と寸法等を、３Ｄモデルと一緒に表示するまでの図である。
【図５−１】３Ｄ空間上で、２Ｄ図面の投影図の投影形状と寸法等を、３Ｄモデルに正対して配置するまでの図である。
【図５−２】３Ｄ空間上で、２Ｄ図面の投影図の投影形状と寸法等を、３Ｄモデルに正対して配置するまでの図である。
【図５−３】３Ｄ空間上で、２Ｄ図面の投影図の投影形状と寸法等を、３Ｄモデルに正対して配置するまでの図である。
【図５−４】３Ｄ空間上で、２Ｄ図面の投影図の投影形状と寸法等を、３Ｄモデルに正対して配置するまでの図である。
【図５−５】３Ｄ空間上で、２Ｄ図面の投影図の投影形状と寸法等を、３Ｄモデルに正対して配置するまでの図である。
【図６−１】２Ｄ図面の投影図の投影形状と寸法等の寸法の引き出し位置と、３Ｄモデルを位置指示線によってつなげて表示するまでの図である。
【図６−２】２Ｄ図面の投影図の投影形状と寸法等の寸法の引き出し位置と、３Ｄモデルを位置指示線によってつなげて表示するまでの図である。
【図６−３】２Ｄ図面の投影図の投影形状と寸法等の寸法の引き出し位置と、３Ｄモデルを位置指示線によってつなげて表示するまでの図である。
【図７】ＣＡＤ装置のブロック図である。
【図８】３Ｄ空間上に転送を行って、２Ｄ図面の投影図の投影形状と寸法等、位置指示線、３Ｄモデルを画面上に表示し、保管する一連の動作を表したフローチャートである。
【図９】正対配置した時と、そうでない時の画面表示を表したものである。
【図１０】正対配置しない状態で、位置指示線を表示させた時の図である。
【図１１】中心線に寸法が入っていて、位置指示線を作成する際の関連する要素がハイライトされる様子を表した図である。
【図１２】３Ｄモデルと２Ｄ図面の投影図の投影形状が、正対配置した状態で、自動的に位置指示線が引かれる様子を表した図である。
【図１３】穴形状に対する位置指示線を引いた時の状態を表した図である。
【図１４】注記に位置指示線が引かれた時の状態を表した図である。
【図１５】２Ｄ図面の断面図を、３Ｄ空間上に配置した時の表示状態を表した図である。
【図１６−１】２Ｄ図面の詳細図を、表示した時の画面状態を表した図である。
【図１６−２】２Ｄ図面の詳細図を、表示した時の画面状態を表した図である。
【図１６−３】２Ｄ図面の詳細図を、表示した時の画面状態を表した図である。
【図１６−４】２Ｄ図面の詳細図を、表示した時の画面状態を表した図である。
【図１６−５】２Ｄ図面の詳細図を、表示した時の画面状態を表した図である。
【図１６−６】２Ｄ図面の詳細図を、表示した時の画面状態を表した図である。
【図１６−７】２Ｄ図面の詳細図を、表示した時の画面状態を表した図である。
【符号の説明】
【００９１】
７０１  内部記憶装置
７０２  外部記憶装置
７０３  ＣＰＵ装置
７０４  表示装置
７０５  入力装置
７０６  出力装置
７０７  外部接続装置
【図１】
2006107335.tif 000003
【図２】
2006107335.tif 000004
【図３】
2006107335.tif 000005
【図７】
2006107335.tif 000006
【図８】
2006107335.tif 000007
【図４−１】
2006107335.tif 000008
【図４−２】
2006107335.tif 000009
【図４−３】
2006107335.tif 000010
【図４−４】
2006107335.tif 000011
【図４−５】
2006107335.tif 000012
【図４−６】
2006107335.tif 000013
【図４−７】
2006107335.tif 000014
【図５−１】
2006107335.tif 000015
【図５−２】
2006107335.tif 000016
【図５−３】
2006107335.tif 000017
【図５−４】
2006107335.tif 000018
【図５−５】
2006107335.tif 000019
【図６−１】
2006107335.tif 000020
【図６−２】
2006107335.tif 000021
【図６−３】
2006107335.tif 000022
【図９】
2006107335.tif 000023
【図１０】
2006107335.tif 000024
【図１１】
2006107335.tif 000025
【図１２】
2006107335.tif 000026
【図１３】
2006107335.tif 000027
【図１４】
2006107335.tif 000028
【図１５】
2006107335.tif 000029
【図１６−１】
2006107335.tif 000030
【図１６−２】
2006107335.tif 000031
【図１６−３】
2006107335.tif 000032
【図１６−４】
2006107335.tif 000033
【図１６−５】
2006107335.tif 000034
【図１６−６】
2006107335.tif 000035
【図１６−７】
2006107335.tif 000036